(57)【特許請求の範囲】
【請求項１】
電子機器に入力ユーザーインターフェースとして設けられた押しボタン式の操作ボタンを覆うように、電子機器に備えられる操作ボタン誤操作防止具であって、
環状を呈し、電子機器の操作ボタンの周囲の面に備えられる基台と、
常に操作ボタンに接触した状態で操作ボタンと一体にストローク可能に、前記基台によって支持されるボタンキャップとを有し、
前記基台は、ロック用突起と、前記ロック用突起に対応した形状を呈するロック用突起逃げ部とから成る嵌合対の一方を備え、
前記ボタンキャップは、前記嵌合対の他方を備え、
前記ボタンキャップに備えられた前記嵌合対の他方は、操作ボタンを中心とした、前記基台に備えられた前記嵌合対の一方と同じ回転半径上を回転可能であり、
前記嵌合対の一方と他方との位置が一致していないときは、前記ボタンキャップが押下不可能であることによって誤操作を含む操作ボタンの押下操作をロックする一方、前記嵌合対の一方と他方との位置が一致しているときは、前記ボタンキャップを介した操作ボタンの押下操作をアンロックすること特徴とする操作ボタン誤操作防止具。
【請求項２】
前記ボタンキャップは、常に操作ボタンに接触した状態で前記基台によって支持されるキャップ本体と、前記回転半径上を回転可能に前記キャップ本体を介して前記基台に支持されたロックリングとによって構成され、
前記嵌合対の他方は、前記ロックリングに備えられており、
前記キャップ本体には、前記基台に備えられた前記嵌合対の一方の位置を代替的に表す固定表示部が形成されていると共に、前記ロックリングには、該ロックリングに備えられた前記嵌合対の他方の位置を表す回転表示部が形成され、これにより、操作ボタンのロック／アンロック状態をユーザに知らしめるように構成された請求項１に記載の操作ボタン誤操作防止具。
【請求項３】
前記嵌合対の一方と他方との位置が一致しているときの前記ボタンキャップの押下ストローク長は、該ロック用突起の高さよりも僅かに大きい請求項１または２に記載の操作ボタン誤操作防止具。
【請求項４】
前記基台は、自己吸着式粘着シートを使用して電子機器に取り外し可能に取り付けられる請求項１乃至３のいずれか一項に記載の操作ボタン誤操作防止具。
【請求項５】
前記ボタンキャップは、弾性を有する部材を介して操作ボタンに接触している請求項１乃至４のいずれか一項に記載の操作ボタン誤操作防止具。
【請求項６】
前記基台と前記ボタンキャップとの間に、挿入配置されたバネをさらに有する請求項１乃至５のいずれか一項に記載の操作ボタン誤操作防止具。
【請求項７】
前記嵌合対の一方が、前記基台の側面にて露出した状態で形成されていると共に、前記嵌合対の他方が、前記ボタンキャップの側面にて露出した状態で形成されており、これにより、操作ボタンのロック／アンロック状態をユーザに知らしめるように構成された請求項１ならびに３乃至６のいずれか一項に記載の操作ボタン誤操作防止具。
【請求項８】
筐体と、該筐体の表面に設けられた前記操作ボタンと、請求項１乃至７のいずれか一項に記載の操作ボタン誤操作防止具とを有することを特徴とする電子機器。
【請求項９】
筐体と、該筐体の表面に設けられた前記操作ボタンと、請求項１乃至３ならびに５乃至７のいずれか一項に記載の操作ボタン誤操作防止具とを有し、
前記基台は、電子機器の前記筐体と、単一部品として一体に形成されていることを特徴とする電子機器。
【発明の詳細な説明】
【技術分野】
【０００１】
本発明は、スマートフォン、情報処理タブレット、携帯電話機等の電子機器に備えられた操作ボタンの誤操作を防止する誤操作防止具に関する。
【背景技術】
【０００２】
一般に、スマートフォン、情報処理タブレット、携帯電話機等には、ユーザが、これらの電子機器に対して指示を行ったり情報を入力するために、入力ユーザーインターフェース（以下、入力ＵＩまたはＵＩとも記す）が備えられている。入力ＵＩとしては、タッチパネル、マイクロフォン、光学センサ等の他に、操作ボタンがある。操作ボタンは、機械動作を伴う、電子機器の制御部に接続された電気スイッチと、ユーザによる操作を電気スイッチに伝達するボタン部とによって構成されている。
【０００３】
一般に、スマートフォン等の電子機器においては、操作ボタンとして、電源操作ボタン、音量上下操作ボタン等のほか、ホームボタンが設けられている。ホームボタンは、電子機器が実行中のアプリ（アプリケーション・プログラム・ソフトウエア）を終了してホーム画面（初期画面、基本画面）をディスプレイによって表示させたり、電子機器をサスペンドモードから通常モードに復帰させるなどの指示を受け付ける入力ＵＩである。このようにホームボタンは、電子機器の主要な動作に関するものであるため、この種の電子機器に備えられる操作ボタン類の中でも、操作頻度がかなり高い。
【０００４】
このため、ホームボタンは、電子機器の筐体のうち、ユーザの目に付き易い所謂目立つ箇所であり、なおかつ、電子機器の筐体を片手または両手で把持したユーザが操作し易い箇所に設けられることが多い。尚、そのような箇所とは、具体的には、電子機器の筐体のおもて面（正面）におけるディスプレイの下側などである。
【０００５】
筐体のおもて面におけるディスプレイの下側に設けられたホームボタンを有する情報処理タブレットは、例えば、特許文献１に開示されている。
【先行技術文献】
【特許文献】
【０００６】
【特許文献１】実用新案登録第３１７３８１９号公報
【発明の概要】
【発明が解決しようとする課題】
【０００７】
ところで、ユーザの目に付き易い箇所であり、なおかつ、ユーザが操作し易い箇所に設けられたホームボタンは、ユーザが操作し易く操作性に優れている反面、誤操作を招きやすいという実情にある。例えば、ユーザがスマートフォン等の電子機器を片手または両手で把持しながら使用中に、誤ってホームボタンに指を掛けて誤操作をしてしまう可能性がある。
【０００８】
ただし、大人のユーザであれば、そのような無意識な誤操作をしないようにある程度、気を付けることができる。一方、例えば、スマートフォン等の電子機器をユーザが子供と一緒に使用中に、子供は、目立つ箇所に備えられたホームボタンを、敢えて意図的に押してしまいがちである。
【０００９】
ホームボタンの誤操作があると、実行中のアプリがユーザの希望しないタイミングで終了するなどし、大変不便である。このため、スマートフォン、情報処理タブレット、携帯電話機等の電子機器に備えられた操作ボタンの誤操作、特に、子供による誤操作を防止するチャイルドプルーフ策が望まれている。
【００１０】
特許文献１には、情報処理タブレットのホームボタンについて、誰でも容易に接触・押下げできないようにしたカバーケースが開示されている。しかし、ホームボタンの操作が必要なときには、カバーケースを取り外すか、カバーケースに形成されたスリットから、別途用意した細長いピン等の操作具を差し込んでホームボタンを操作する必要がある。これは、子供のみならず、大人のユーザにとっても操作性が著しく阻害されることになり、使用頻度が高いが故にユーザが操作し易い箇所に設けるようにしたという、前述した元来のホームボタンの事情を考えると、不合理なことである。
【００１１】
それ故、本発明の課題は、操作ボタンの本来の操作性を維持しつつも、子供による操作ボタンの誤操作を防止できる操作ボタン誤操作防止具を提供することである。
【課題を解決するための手段】
【００１２】
本発明によれば、電子機器に入力ユーザーインターフェースとして設けられた押しボタン式の操作ボタンを覆うように、電子機器に備えられる操作ボタン誤操作防止具であって、環状を呈し、電子機器の操作ボタンの周囲の面に備えられる基台と、常に操作ボタンに接触した状態で操作ボタンと一体にストローク可能に、前記基台によって支持されるボタンキャップとを有し、前記基台は、ロック用突起と、前記ロック用突起に対応した形状を呈するロック用突起逃げ部とから成る嵌合対の一方を備え、前記ボタンキャップは、前記嵌合対の他方を備え、前記ボタンキャップに備えられた前記嵌合対の他方は、操作ボタンを中心とした、前記基台に備えられた前記嵌合対の一方と同じ回転半径上を回転可能であり、前記嵌合対の一方と他方との位置が一致していないときは、前記ボタンキャップが押下不可能であることによって誤操作を含む操作ボタンの押下操作をロックする一方、前記嵌合対の一方と他方との位置が一致しているときは、前記ボタンキャップを介した操作ボタンの押下操作をアンロックすること特徴とする操作ボタン誤操作防止具が得られる。
【００１３】
前記ボタンキャップは、常に操作ボタンに接触した状態で前記基台によって支持されるキャップ本体と、前記回転半径上を回転可能に前記キャップ本体を介して前記基台に支持されたロックリングとによって構成され、前記嵌合対の他方は、前記ロックリングに備えられており、前記キャップ本体には、前記基台に備えられた前記嵌合対の一方の位置を代替的に表す固定表示部が形成されていると共に、前記ロックリングには、該ロックリングに備えられた前記嵌合対の他方の位置を表す回転表示部が形成され、これにより、操作ボタンのロック／アンロック状態をユーザに知らしめるように構成されていてもよい。
【００１４】
また、本発明によれば、筐体と、該筐体の表面に設けられた前記操作ボタンと、前記操作ボタン誤操作防止具とを有することを特徴とする電子機器が得られる。
【発明の効果】
【００１５】
本発明による操作ボタン誤操作防止具は、操作ボタンの本来の操作性を維持しつつも、子供による操作ボタンの誤操作を防止できる。
【図面の簡単な説明】
【００１６】
【図１】本発明の実施例１による操作ボタン誤操作防止具が装着されたスマートフォンを示す図である。
【図２】（ａ）および（ｂ）は、本発明の実施例１による操作ボタン誤操作防止具の上面図および底面図である。
【図３】（ａ）および（ｂ）は、本発明の実施例１による操作ボタン誤操作防止具の側面図および図２（ａ）における切断線Ａ−Ｂに沿った断面図である。
【図４】本発明の実施例１による、ロック状態にある誤操作防止具を示す図であり、（ａ）は上面図、（ｂ）は側面図である。
【図５】本発明の実施例１による、アンロック状態にある誤操作防止具を示す図であり、（ａ）は上面図、（ｂ）は非押下時の側面図、（ｃ）は非押下時の図２（ａ）における切断線Ａ−Ｂに沿った断面図、（ｄ）は押下時の側面図、（ｅ）は押下時の切断線Ａ−Ｂに沿った断面図である。
【図６】本発明の実施例２による操作ボタン誤操作防止具の断面図である。
【発明を実施するための形態】
【００１７】
本発明による操作ボタン誤操作防止具は、電子機器に入力ユーザーインターフェースとして設けられた押しボタン式の操作ボタンを覆うように、電子機器に備えられた操作ボタン誤操作防止具である。
【００１８】
特に、本操作ボタン誤操作防止具は、基台と、ボタンキャップとを有している。基台は、環状を呈し、スマートフォン、情報処理タブレット、携帯電話機等の電子機器の操作ボタンの周囲の面に備えられる。ボタンキャップは、常に操作ボタンに接触した状態で操作ボタンと一体にストローク可能に、基台によって支持されている。
【００１９】
基台は、ロック用突起と、ロック用突起に対応した形状を呈するロック用突起逃げ部とから成る嵌合対の一方を備えている。ボタンキャップは、嵌合対の他方を備えている。ボタンキャップに備えられた嵌合対の他方は、操作ボタンを中心とした、基台に備えられた嵌合対の一方と同じ回転半径上を回転可能である。
【００２０】
そして、嵌合対の一方と他方との位置が一致していないときは、ボタンキャップが押下不可能であることによって誤操作を含む操作ボタンの押下操作をロックする。一方、嵌合対の一方と他方との位置が一致しているときは、ボタンキャップを介した操作ボタンの押下操作をアンロックする。
【００２１】
上記構成により、本発明による操作ボタン誤操作防止具は、電子機器の操作ボタンの本来の操作性を維持しつつも、子供による操作ボタンの誤操作を防止できる。
【００２２】
即ち、本発明による操作ボタン誤操作防止具は、ロック状態時に、子供に操作ボタンを押すことが出来ないようにする一方、誤操作をする心配がない大人のユーザが電子機器を使用する際には、ボタンキャップを回転させるだけで容易にアンロック状態に移行し、常用時と変わりのない操作性で操作ボタンを押下操作することができる。
【００２３】
尚、本発明のロック用突起とロック用突起逃げ部との嵌合対においては、ロック用突起とロック用突起逃げ部とが、きつい嵌め合いの関係にあるのではなく、操作ボタン内蔵のバネ等の力によってロック用突起がロック用突起逃げ部から容易に外れ得る、緩い嵌め合いの関係にあるものとする。
【００２４】
以下、図面を参照して、本発明による操作ボタン誤操作防止具のより具体的な実施例を説明する。
【実施例１】
【００２５】
図１、図２（ａ）および（ｂ）ならびに図３（ａ）および（ｂ）を参照すると、本発明の実施例１による操作ボタン誤操作防止具は、電子機器としてのスマートフォン１００の筐体１１０のおもて面１１０ａのうち、タッチパネル式ディスプレイ１２０の下側に入力ユーザーインターフェースとして設けられた押しボタン式のホームボタン１３０を覆うように備えられている。
【００２６】
本操作ボタン誤操作防止具は、基台１０と、ボタンキャップ２０とを有している。基台１０は、樹脂から成り、環状を呈し、スマートフォン１００のホームボタン１３０の周囲の面に備えられる。一方、ボタンキャップ２０は、樹脂から成り、常にホームボタン１３０に接触した状態でのホームボタン１３０と一体にストローク可能に、基台１０によって支持されている。
【００２７】
基台１０は、ロック用突起と、ロック用突起に対応した形状を呈するロック用突起逃げ部とから成る嵌合対の一方として、ロック用突起逃げ部１０ｃを９０度の間隔を置いて４個備えている。他方、ボタンキャップ２０は、嵌合対の他方として、ロック用突起２２ｃを９０度の間隔を置いて４個備えている。ボタンキャップ２０に備えられた嵌合対の他方としてのロック用突起２２ｃは、ホームボタン１３０を中心とした、基台１０に備えられた嵌合対の一方としてのロック用突起逃げ部１０ｃと同じ回転半径上を回転可能である。
【００２８】
そして、嵌合対の一方と他方との位置（ロック用突起逃げ部１０ｃとロック用突起２２ｃとの位置）が一致していないときは、ボタンキャップ２０が押下不可能であることによって誤操作を含むホームボタン１３０の押下操作をロックする（ロック状態）。一方、嵌合対の一方と他方との位置（ロック用突起逃げ部１０ｃとロック用突起２２ｃとの位置）が一致しているときは、ボタンキャップ２０を介したホームボタン１３０の押下操作をアンロックする（アンロック状態）。
【００２９】
尚、本実施例においては、嵌合対のうちのロック用突起逃げ部が基台に形成されていると共にロック用突起がボタンキャップに形成されているが、本発明においては、嵌合対のうちのロック用突起が基台に形成されると共にロック用突起逃げ部がボタンキャップに形成されてもよい。
【００３０】
また、本実施例においては、嵌合対（ロック用突起逃げ部と、ロック用突起）が９０度の角度間隔を置いてそれぞれ４個形成されているが、本発明においては、嵌合対（ロック用突起逃げ部と、ロック用突起）の数量は、３個または５個以上であってもよい。いずれの個数にしても、複数の嵌合対（ロック用突起逃げ部と、ロック用突起）は、等角度間隔を置いて形成されることが好ましい。
【００３１】
ボタンキャップ２０は、常にホームボタンに接触した状態で基台１０によって支持されるキャップ本体２１と、前記の回転半径上を回転可能にキャップ本体２１を介して前記基台１０に支持されたロックリング２２とによって構成されている。
【００３２】
ボタンキャップ２０に備えられた嵌合対の他方としてのロック用突起２２ｃは、ロックリング２２に備えられている。ロックリング２２は、キャップ本体２１に対して回転はするけれども相対的に上下動はせず、キャップ本体２１と一体に基台１０に対して上下動するように構成されている。
【００３３】
尚、キャップ本体２１は、基台１０に対して回転不可能に構成されている。図示はしないが、基台１０とキャップ本体２１とには、ホームボタンのストローク方向に延在するキー溝とリッジとから成る回転禁止対の一方および他方がそれぞれ形成されている。これにより、キャップ本体２１は、基台１０に対して上下動はするものの、回転動作はしないようになっている。
【００３４】
図３（ｂ）から明らかなように、本実施例において、キャップ本体２１は、キャップ主部２１ａと、中央下部２１ｂと、天板部２１ｃとから成る３ピース構造である。キャップ本体２１の天板部２１ｃには、図２（ａ）に示されるように、基台１０に備えられた嵌合対の一方としてのロック用突起逃げ部１０ｃの位置を代替的に表す固定表示部２１ｄが形成されている。他方、ロックリング２２には、これに備えられた嵌合対の他方としてのロック用突起２２ｃの位置を表す４個の回転表示部２２ｄが形成されている。ユーザは、ロック／アンロック状態を切り替えるためにロックリング２２を操作するが、固定表示部２１ｄに対して回転表示部２２ｄが如何なる位置にあるかを視認することにより、ホームボタンのロック／アンロック状態を知ることができる。尚、１個の固定表示部２１ｄに対し、４個の回転表示部２２ｄのうちのいずれか１つが揃えば、それぞれ４個の嵌合対の一方と他方同士が全て合致することになる（アンロック状態）。
【００３５】
尚、ロックリング２２は、不用意に回転してしまうことがないように、キャップ主部２１ａおよび／または天板部２１ｃに対してある程度の摩擦力を発生するように構成される。
【００３６】
また、嵌合対の一方と他方との位置が一致しているとき（アンロック状態時）のボタンキャップ２０の押下ストローク長は、ロック用突起２２ｃの高さよりも僅かに大きい。
【００３７】
図２（ｂ）および図３（ｂ）に示されるように、本実施例において、基台１０は、自己吸着式粘着シート３０を使用してスマートフォン１００の筐体１１０のおもて面１１０ａに取り外し可能に取り付けられている。自己吸着式粘着シート３０は、ガラス面などのつるつるした面に接着剤を用いず吸着し、剥がすときに粘着剤跡が残らない素材である。自己吸着式粘着シートの吸着力は、水洗いをすることで回復する。よって、本操作ボタンご操作防止具のスマートフォン１００への着脱が容易になる。尚、本発明においては、自己吸着式粘着シートに代えて、両面テープによって操作ボタン誤操作防止具を電子機器に貼り付けるようにしてもよい。
【００３８】
また、ボタンキャップ２０（中央下部２１ｂ）は、図２（ｂ）および図３（ｂ）から明らかなように、フェルト材やゴム等から成り、弾性を有するボタン接触部材４０を介してホームボタン１３０に接触している（ホームボタン１３０は、図２（ｂ）および図３（ｂ）に図示せず）。これにより、ホームボタン１３０やボタンキャップ２０（中央下部２１ｂ）の寸法バラつきに起因して起こり得るボタンキャップ２０のガタつきを防止できると共に、ホームボタン１３０の表面に傷が付くことを防止できる。
【００３９】
さらに、図示はしないが、基台１０とボタンキャップ２０との間、例えば、図３（ｂ）におけるそれぞれ環状を呈する間隙部Ｓ１またはＳ２に、挿入配置されたバネをさらに有していてもよい。これにより、操作ボタン誤操作防止具がホームボタン１３０上にない場合でも、ボタンキャップ２０は上方に押し上げられている。
【００４０】
尚、本実施例による操作ボタン誤操作防止具は、次のようにして組み立てて完成した後、電子機器に装着される。
【００４１】
即ち、図３（ｂ）を参照すると、基台１０の図中下側から中央下部２１ｂを、前述のキー溝とリッジ（図示せず）とを合致させて挿入し、この中央下部２１ｂにキャップ本体２１ａを固定する。尚、この固定には、接着剤または両面テープを用いるか、もしくは、爪と凹部との係止関係またはきつい嵌め合いの嵌合関係を中央下部２１ｂキャップ本体２１ａとの間に具備させる。
【００４２】
次に、キャップ本体２１ａ上にロックリング２２を載置した後、天板２１ｃを、これに形成された固定表示部２１ｄが基台１０に形成された４個のロック用突起逃げ部１０ｃのうちの１個に対応した位置（図２（ａ））になるように、キャップ本体２１ａに固定する。尚、この固定には、接着剤または両面テープを用いるか、もしくは、爪と凹部との係止関係またはきつい嵌め合いの嵌合関係をキャップ本体２１ａと天板２１ｃとの間に具備させる。ここで、ロックリング２２は、キャップ本体２１ａに対して固定されないため回転可能である一方、天板２１ｃによって規制されるため、キャップ本体２１ａ、中央下部２１ｂ、天板２１ｃと共に、基台１０に対して上下動可能である。
【００４３】
次に、図１〜図５を参照して、本実施例による操作ボタン誤操作防止具の動作を、ユーザによる使用方法に即して説明する。
【００４４】
子供が使用することが想定されるスマートフォン１００（図１）のホームボタン１３０の周囲に、自己吸着式粘着シート３０を介して本操作ボタン誤操作防止具が装着される。
【００４５】
まず、ホームボタン１３０の押下を禁止するロック状態について説明する。大人のユーザは、ロックリング２２を図４（ａ）中の矢印Ｒ２２方向に回転させ、４個のロックリング２２の回転表示部２２ｄ間の４個の領域のいずれかを、固定表示部２１ｄの外周に位置させる。これにより、本実施例による操作ボタン誤操作防止具は、ロック状態となる。ロック状態では、図４（ｂ）に示されるように、基台１０にロック用突起２２ｃが当接することにより、矢印Ｐ２０の方向に、ボタンキャップ２０を押下することが不可能であることによって子供による誤操作を含むホームボタン１３０の押下操作がロックされる。
【００４６】
次に、ホームボタン１３０の押下を許可するアンロック状態について説明する。大人のユーザは、ホームボタン１３０を操作するべく、ロックリング２２を回転させ、４個のロックリング２２の回転表示部２２ｄのいずれかを、固定表示部２１ｄの外周に位置させる（図５（ａ））。これにより、本実施例による操作ボタン誤操作防止具は、アンロック状態となる。アンロック状態では、図５（ｂ）および（ｃ）に示されるように、基台１０のロック用突起逃げ部１０ｃ内にロック用突起２２ｃが挿入されて行くため、ボタンキャップ２０を介したホームボタン１３０の押下操作は阻害されることがない。図５（ｄ）および（ｅ）に示されるように、ボタンキャップ２０が矢印Ｐ２０方向にさらに押下されると、ボタン接触部材４０を介してボタンキャップ２０に押下されたホームボタン１３０の図示しない電気スイッチが切り替わる。スマートフォン１００の制御部は、ホームボタン１３０が押下されたことを検出し、これに応じたスマートフォン１００の動作を実行する。
【００４７】
このように、ロック状態では、大人も子供も含め、ホームボタン１３０を押下することができない。そして、ロック状態からアンロック状態に切り替えるには、ボタンキャップ２０（ロックリング２２）を回転させる操作が必要であるため、ホームボタン１３０の操作が必要なときには、大人は、ロックリング２２を回転させて表示部を合わせるという簡単な操作によってアンロック状態に移行させることができる。しかし、子供は、そのような操作が必要なことが分からないためアンロック状態に移行させることができず、ホームボタン１３０を押下することができない。よって、操作ボタンの本来の操作性を殆ど低下させることなく維持しつつも、子供による操作ボタンの誤操作は確実に防止できる。
【００４８】
尚、スマートフォン１００のような電子機器と、本発明による操作ボタン誤操作防止具との組み合わせは、操作ボタン誤操作防止機能付きの電子機器とも云える。この場合、誤操作防止具を取り外したり付け替えたりする必要がないのであれば、予め、基台を、電子機器の筐体と、単一部品として一体に形成してもよい。
【実施例２】
【００４９】
本発明の実施例２による操作ボタン誤操作防止具は、ボタンキャップの構造が、実施例１と異なっている。このため、実施例１と同一または同様の部分については、実施例１における説明および図面を援用することとし、詳細な説明は省略する。
【００５０】
図６を参照すると、本発明の実施例２の操作ボタン誤操作防止具は、基台１０と、ボタンキャップ２０’とを有している。
【００５１】
基台１０は、実施例１と同様の形状を呈しており、ロック用突起と、ロック用突起に対応した形状を呈するロック用突起逃げ部とから成る嵌合対の一方として、ロック用突起逃げ部１０ｃを９０度の間隔を置いて４個備えている（２個のみ図示）。
【００５２】
他方、ボタンキャップ２０’は、嵌合対の他方として、ロック用突起２０ｃを９０度の間隔を置いて４個備えている（２個のみ図示）。ボタンキャップ２０’に備えられた嵌合対の他方としてのロック用突起２０ｃは、ホームボタン（図示せず）を中心とした、基台１０に備えられた嵌合対の一方としてのロック用突起逃げ部１０ｃと同じ回転半径上を回転可能である。
【００５３】
そして、嵌合対の一方と他方との位置（ロック用突起逃げ部１０ｃとロック用突起２０ｃとの位置）が一致していないときは、ボタンキャップ２０’が押下不可能であることによって誤操作を含むホームボタンの押下操作をロックする（ロック状態）。一方、嵌合対の一方と他方との位置（ロック用突起逃げ部１０ｃとロック用突起２０ｃとの位置）が一致しているときは、ボタンキャップ２０’を介したホームボタンの押下操作をアンロックする（アンロック状態）。
【００５４】
ボタンキャップ２０’は、キャップ主部２０ａと、中央下部２０ｂとから成る２ピース構造であり、常にホームボタンに接触した状態で基台１０によって支持されると共に、ホームボタンを中心として回転可能である。尚、キャップ主部２０ａと、中央下部２０ｂとは、固定されており、互いに一体に、基台１０に対して上下動すると共に、回転動作するように構成されている。
【００５５】
ボタンキャップ２０’のキャップ主部２０ａには、これに備えられたロック用突起２０ｃの位置を表す４個の回転表示部２０ｄが形成されている（２個のみ図示）。ユーザは、ロック／アンロック状態を切り替えるためにボタンキャップ２０’（キャップ主部２０ａ）を回転操作するが、基台１０に形成された４個のロック用突起逃げ部１０ｃに対して回転表示部２０ｄが如何なる位置にあるかを視認することにより、ホームボタンのロック／アンロック状態を知ることができる。尚、４個のロック用突起逃げ部１０ｃのうちのいずれか１個に対し、４個のロック用突起２０ｃのうちのいずれか１つが揃えば、それぞれ４個の嵌合対の一方と他方同士が全て合致することになる（アンロック状態）。
【００５６】
尚、本発明においては、ボタンキャップ２０’に回転表示部を形成しなくともよい。この場合には、嵌合対の一方が、基台１０の側面にて露出した状態で形成されていることに加え、嵌合対の他方も、ボタンキャップ２０’（キャップ主部２０ａ）の側面にて露出した状態で形成する必要がある。これにより、嵌合対の一方および他方自体が表示部として機能するため、ホームボタンのロック／アンロック状態をユーザに知らしめることが可能である。
【００５７】
尚、ボタンキャップ２０’は、不用意に回転してしまうことがないように、基台１０に対してある程度の摩擦力を発生するように構成されている。
【００５８】
また、ボタンキャップ２０’（中央下部２０ｂ）は、フェルト材やゴム等から成り、弾性を有するボタン接触部材４０を介してホームボタン（図示せず）に接触する。これにより、ホームボタンやボタンキャップ２０’の寸法バラつきに起因して起こり得るボタンキャップ２０’のガタつきを防止できると共に、ホームボタンの表面に傷が付くことを防止できる。尚、本実施例では、中央下部２０ｂをも含めボタンキャップ２０’やその先端に取り付けられたボタン接触部材４０が回転するため、回転時にボタン接触部材４０がホームボタンを傷付けることがなく、また、ボタンキャップ２０’の回転が前述の摩擦力以外の要因で阻害されないように、ボタン接触部材４０が、弾性を有する一方で、少なくともホームボタンに接する面が平滑であると共に低摩擦であることが好ましい。
【００５９】
また、本実施例においても、嵌合対のうちのロック用突起逃げ部が基台に形成されていると共にロック用突起がボタンキャップに形成されているが、本発明においては、嵌合対のうちのロック用突起が基台に形成されると共にロック用突起逃げ部がボタンキャップに形成されてもよい。
【００６０】
また、本実施例においても、基台１０とボタンキャップ２０’との間の間隙部に、挿入配置されたバネをさらに有していてもよい。
【００６１】
また、本実施例においても、基台１０は、自己吸着式粘着シート３０を使用してスマートフォンの筐体（図示せず）に取り外し可能に取り付けられる。
【００６２】
本実施例による操作ボタン誤操作防止具は、実施例１に比べて部品点数、ならびに、組み立て工数が少なく、低コストに製造できる。
【産業上の利用可能性】
【００６３】
以上説明した実施例に限定されることなく、本発明は、特許請求の範囲に記載された技術範囲内であれば、種々の変形が可能であることは云うまでもない。
【００６４】
例えば、本発明は、電子機器のホームボタンに限らず、他の押しボタン式の操作ボタンに対しても適用できる。
【００６５】
また、本発明は、スマートフォン、情報処理タブレット、携帯電話機に限定されず、例えば、携帯ゲーム機、携帯型音声／映像再生機、携帯型ナビゲーション装置、デジタルカメラ、タッチパネル付きのノート型パーソナルコンピュータ、もしくは、ＰＤＡ等、押しボタン式の操作ボタンを備えた電子機器全般に適用可能である。
【符号の説明】
【００６６】
１０    基台
１０ｃ  ロック用突起逃げ部
２０、２０’  ボタンキャップ
２０ａ  キャップ主部
２０ｂ  中央下部
２０ｃ  ロック用突起
２０ｄ  回転表示部
２１    キャップ本体
２１ａ  キャップ主部
２１ｂ  中央下部
２１ｃ  天板部
２１ｄ  固定表示部
２２    ロックリング
２２ｃ  ロック用突起
２２ｄ  回転表示部
３０    自己吸着式粘着シート
４０    ボタン接触部材
１００    スマートフォン
１１０    筐体
１１０ａ  おもて面
１２０    タッチパネル式ディスプレイ
１３０    ホームボタン
Ｓ１、Ｓ２  間隙部
【要約】
【課題】操作ボタンの本来の操作性を維持しつつも、子供による操作ボタンの誤操作を防止できる操作ボタン誤操作防止具を提供する。
【解決手段】基台１０は、嵌合対の一方としてのロック用突起逃げ部１０ｃを備えている。ボタンキャップ２０は、嵌合対の他方としてのロック用突起２２ｃを備えている。ボタンキャップ２０に備えられたロック用突起２２ｃは、電子機器の押しボタン式の操作ボタンを中心とした、基台１０に備えられたロック用突起逃げ部１０ｃと同じ回転半径上を回転可能である。ロック用突起逃げ部１０ｃとロック用突起２２ｃとの位置が一致していないときは、誤操作を含む操作ボタンの押下操作をロックする一方、一致しているときは、ボタンキャップ２０を介した操作ボタンの押下操作をアンロックする。
【選択図】図３【図１】
0005489256.tif 000002
【図２】
0005489256.tif 000003
【図３】
0005489256.tif 000004
【図４】
0005489256.tif 000005
【図５】
0005489256.tif 000006
【図６】
0005489256.tif 000007